【手続補正書】
【提出日】平成18年9月29日(2006.9.29)
【手続補正１】
【補正対象書類名】特許請求の範囲
【補正対象項目名】全文
【補正方法】変更
【補正の内容】
【特許請求の範囲】
【請求項１】
拠点毎に設置された複数の画像出力装置の色管理を行うべく、前記拠点毎に配置され前記画像出力装置から出力された出力物の測定を行う複数の測色計の測定値の基準値との差に基づいて、その差を補正するための補正式を導出する色管理システムであって、
前記拠点毎に配置され、前記測色計により測定された色見本の複数の測定点での所定の表色系における測定値を送信する色見本測定値送信手段を有する複数の端末装置と、
基準となる測色計により測定された前記色見本の複数の測定点での所定の表色系における測定値を予め前記基準値として格納する色見本測定値格納手段と、
前記色見本測定値送信手段から送信された前記色見本の複数の測定点での所定の表色系における測定値を受信する色見本測定値受信手段と、
前記受信した測定値を、前記所定の表色系における色空間を複数の領域に分割した領域毎に区分し、前記区分した測定値毎に、前記測定値を前記格納された基準値に近似させる補正を行うための補正式を複数導出する補正式導出手段と、
前記区分した測定値毎に、前記測定値を前記導出された複数の補正式により補正し、前記補正された測定値に基づいて、前記導出された複数の補正式の中から最も補正精度の高い補正式を決定する補正式決定手段と、
前記区分した測定値毎に前記決定された補正式を、前記差を補正するための補正式として登録する補正式登録手段と、
を有する管理サーバーと、
を備えたことを特徴とする色管理システム。
【請求項２】
前記補正式決定手段は、前記複数の補正式により補正された測定値と前記格納された基準値との色差を算出する算出手段と、前記算出手段により算出された色差が最小となる補正式を前記導出された複数の補正式の中から選択して、これを前記最も補正精度の高い補正式とする補正式選択手段と、を有することを特徴とする請求項１記載の色管理システム。
【請求項３】
前記算出手段は、前記複数の補正式により補正された測定値と前記格納された基準値との色差として、それらのＣＩＥ  Ｌ＊ａ＊ｂ＊表色系におけるＬ＊値、ａ＊値及びｂ＊値の差であるΔＬ＊値、Δａ＊値及びΔｂ＊値に基づく色差であるΔＥ＝{（ΔＬ＊）２＋（Δａ＊）２＋（Δｂ＊）２}１／２値を算出すると共に、前記補正式選択手段は、当該算出されたΔＥ値の最大値又は平均値が最小となる補正式を前記導出された複数の補正式の中から選択して、これを前記最も補正精度の高い補正式とすることを特徴とする請求項２記載の色管理システム。
【請求項４】
前記補正式登録手段は、前記補正式選択手段により選択された補正式を、前記受信された測定値と前記格納された基準値とをＸＹＺ表色系におけるＸ、Ｙ、Ｚの三刺激値にて表現する補正式として登録することを特徴とする請求項２又は請求項３に記載の色管理システム。
【請求項５】
前記管理サーバーは、前記補正式登録手段により登録された補正式を、前記複数の端末装置の内、該当するものに送信する補正式送信手段をさらに備え、
前記複数の端末装置は、前記補正式送信手段から送信された補正式を受信する補正式受信手段と、前記補正式受信手段により受信された補正式を表示する補正式表示手段と、をさらに有することを特徴とする請求項１乃至請求項４の何れか一項に記載の色管理システム。
【請求項６】
拠点毎に設置された複数の画像出力装置の色管理を行うべく、前記拠点毎に配置され前記画像出力装置から出力された出力物の測定を行う複数の測色計の測定値の基準値との差に基づいて、その差を補正するための補正式を導出する色管理方法であって、
前記拠点毎に配置された複数の端末装置において、
前記測色計により測定された色見本の複数の測定点での所定の表色系における測定値を送信する色見本測定値送信ステップと、
前記複数の端末装置とネットワークを介して接続された管理サーバーにおいて、
基準となる測色計により測定された前記色見本の複数の測定点での所定の表色系における測定値を予め前記基準値として格納する色見本測定値格納ステップと、
前記色見本測定値送信ステップにおいて送信された前記色見本の複数の測定点での所定の表色系における測定値を受信する色見本測定値受信ステップと、
前記受信した測定値を、前記所定の表色系における色空間を複数の領域に分割した領域毎に区分し、前記区分した測定値毎に、前記測定値を前記格納された基準値に近似させる補正を行うための補正式を複数導出する補正式導出ステップと、
前記区分した測定値毎に、前記測定値を前記導出された複数の補正式により補正し、前記補正された測定値に基づいて、前記導出された複数の補正式の中から最も補正精度の高い補正式を決定する補正式決定ステップと、
前記区分した測定値毎に前記決定された補正式を前記差を補正するための補正式として登録する補正式登録ステップと、
を含むことを特徴とする色管理方法。
【請求項７】
前記補正式決定ステップは、前記複数の補正式により補正された測定値と前記格納された基準値との色差を算出する算出ステップと、前記算出ステップで算出された色差が最小となる補正式を前記導出された複数の補正式の中から選択して、これを前記最も補正精度の高い補正式とする補正式選択ステップと、を含むことを特徴とする請求項６記載の色管理方法。
【請求項８】
前記算出ステップでは、前記複数の補正式により補正された測定値と前記格納された基準値との色差として、それらのＣＩＥ  Ｌ＊ａ＊ｂ＊表色系におけるＬ＊値、ａ＊値及びｂ＊値の差であるΔＬ＊値、Δａ＊値及びΔｂ＊値に基づく色差であるΔＥ＝{（ΔＬ＊）２＋（Δａ＊）２＋（Δｂ＊）２}１／２値を算出すると共に、前記補正式選択ステップでは、当該算出されたΔＥ値の最大値又は平均値が最小となる補正式を前記導出された複数の補正式の中から選択して、これを前記最も補正精度の高い補正式とすることを特徴とする請求項７記載の色管理方法。
【請求項９】
前記補正式登録ステップでは、前記補正式選択ステップにおいて選択された補正式を、前記受信された測定値と前記格納された基準値とをＸＹＺ表色系におけるＸ、Ｙ、Ｚの三刺激値にて表現する補正式として登録することを特徴とする請求項７又は請求項８に記載の色管理方法。
【請求項１０】
前記管理サーバーにおいて、
前記補正式登録ステップにおいて登録された補正式を、前記複数の端末装置の内、該当するものに送信する補正式送信ステップと、
前記複数の端末装置において、
前記補正式送信ステップから送信された補正式を受信する補正式受信ステップと、前記補正式受信ステップにおいて受信された補正式を表示する補正式表示ステップと、をさらに含むことを特徴とする請求項６乃至請求項９の何れか一項に記載の色管理方法。
【手続補正２】
【補正対象書類名】明細書
【補正対象項目名】００１３
【補正方法】変更
【補正の内容】
【００１３】
上記課題を解決するために、請求項１記載の発明は、拠点毎に設置された複数の画像出力装置の色管理を行うべく、前記拠点毎に配置され前記画像出力装置から出力された出力物の測定を行う複数の測色計の測定値の基準値との差に基づいて、その差を補正するための補正式を導出する色管理システムであって、前記拠点毎に配置され、前記測色計により測定された色見本の複数の測定点での所定の表色系における測定値を送信する色見本測定値送信手段を有する複数の端末装置と、基準となる測色計により測定された前記色見本の複数の測定点での所定の表色系における測定値を予め前記基準値として格納する色見本測定値格納手段と、前記色見本測定値送信手段から送信された前記色見本の複数の測定点での所定の表色系における測定値を受信する色見本測定値受信手段と、前記受信した測定値を、前記所定の表色系における色空間を複数の領域に分割した領域毎に区分し、前記区分した測定値毎に、前記測定値を前記格納された基準値に近似させる補正を行うための補正式を複数導出する補正式導出手段と、前記区分した測定値毎に、前記測定値を前記導出された複数の補正式により補正し、前記補正された測定値に基づいて、前記導出された複数の補正式の中から最も補正精度の高い補正式を決定する補正式決定手段と、前記区分した測定値毎に前記決定された補正式を、前記差を補正するための補正式として登録する補正式登録手段と、を有する管理サーバーと、を備えたことを特徴とする。
【手続補正３】
【補正対象書類名】明細書
【補正対象項目名】００１４
【補正方法】変更
【補正の内容】
【００１４】
上記課題を解決するために、請求項６記載の発明は、拠点毎に設置された複数の画像出力装置の色管理を行うべく、前記拠点毎に配置され前記画像出力装置から出力された出力物の測定を行う複数の測色計の測定値の基準値との差に基づいて、その差を補正するための補正式を導出する色管理方法であって、前記拠点毎に配置された複数の端末装置において、前記測色計により測定された色見本の複数の測定点での所定の表色系における測定値を送信する色見本測定値送信ステップと、前記複数の端末装置とネットワークを介して接続された管理サーバーにおいて、基準となる測色計により測定された前記色見本の複数の測定点での所定の表色系における測定値を予め前記基準値として格納する色見本測定値格納ステップと、前記色見本測定値送信ステップにおいて送信された前記色見本の複数の測定点での所定の表色系における測定値を受信する色見本測定値受信ステップと、前記受信した測定値を、前記所定の表色系における色空間を複数の領域に分割した領域毎に区分し、前記区分した測定値毎に、前記測定値を前記格納された基準値に近似させる補正を行うための補正式を複数導出する補正式導出ステップと、前記区分した測定値毎に、前記測定値を前記導出された複数の補正式により補正し、前記補正された測定値に基づいて、前記導出された複数の補正式の中から最も補正精度の高い補正式を決定する補正式決定ステップと、前記区分した測定値毎に前記決定された補正式を前記差を補正するための補正式として登録する補正式登録ステップと、を含むことを特徴とする。